(57)【要約】【課題】  操作部材の誤作動を防止して可動片の適正な開閉作動を保証する。【解決手段】  操作部材３は入賞球Ｂａ2，Ｂａ3がその後端部３３に当接した時の荷重によって前端部３４が上昇移動させられるとともに、入賞球Ｂａ1が当接部材３９に当接した時の荷重によって前端部３４が下降移動させられる。操作部材３の前端部３４には、可動片４Ａ，４Ｂを通過した入賞球Ｂａ1を下流側へ通過させるための切欠き部３５を形成する。操作部材３の上方位置に、操作部材の上面を入賞球Ｂａ1，Ｂａ2，Ｂａ3が流通するのを阻止する規制部材２７を設ける。【選択図】        図３
2007236511.tif 000002
【特許請求の範囲】
【請求項１】
略中間部を軸支されて傾動するように筐体内に配設された操作部材と、前記操作部材の一端部が当接し、当該一端部の上昇移動に伴って傾倒させられるとともに前記一端部の下降移動に伴って起立させられる可動片と、前記操作部材の一端部側に設けられ、前記可動片を通過した第１の入賞球が流通する通路内に進出して前記一端部よりも下流側の通路内で前記第１の入賞球が当接する当接部材とを具備し、前記操作部材は第２の入賞球がその他端部に当接した時の荷重によって前記一端部が上昇移動させられるとともに、前記第１の入賞球が前記当接部材に当接した時の荷重によって前記一端部が下降移動させられるものである遊技機の入賞球受口器において、下降移動時に前記通路内に突出する前記操作部材の前記一端部に、前記可動片を通過した前記第１の入賞球を下流側へ通過させるための切欠き部を形成するとともに、前記操作部材の上方位置に、前記操作部材の上面を前記第１の入賞球又は第２の入賞球が流通するのを阻止する規制部材を設けたことを特徴とする入賞球受口器。
【発明の詳細な説明】
【技術分野】
【０００１】
本発明は、パチンコ遊技機、アレンジボール遊技機等の遊技機の入賞球受口器に関し、特に、傾倒および起立動作を行う可動片を備えた入賞球受口器に関する。
【背景技術】
【０００２】
この種の入賞球受口器には、一対の翼状可動片を備えて、特別遊技状態ではこれら翼状可動片を大きく離間方向へ傾倒開放して入賞球を受けるようにして、受口器への入賞確率が飛躍的に高まるようにしたものがある。そして、上記可動片の開閉作動を、特許文献１に示すように、入賞球の荷重が両端部のいずれに付加されるかによって正逆傾動する、いわゆる天秤式の操作部材によって行うようにしたものが知られている。
【特許文献１】実公平８−５７４２
【発明の開示】
【発明が解決しようとする課題】
【０００３】
ところで、従来の天秤式操作部材を使用した入賞球受口器において、傾倒開放した上記可動片を通過した入賞球（第１の入賞球）が、当該可動片を開閉操作する上記操作部材上をその一端部から他端部へ流通することにより、本来可動片を起立閉鎖させるために一端部に付加されるべき入賞球の荷重が他端部に付加されてしまい、操作部材が上記可動片を傾倒開放したままにしてしまうことがあった。反対に、他の入賞球受口器等に入賞して操作部材の他端部上へ送給された入賞球（第２の入賞球）が、上記操作部材上をその他端部から一端部へ流通することにより、本来可動片を傾倒開放させるために他端部に付加されるべき入賞球の荷重が一端部に付加されてしまい、操作部材が可動片を起立閉鎖したままにしてしまうことがあった。
【０００４】
そこで本発明はこのような課題を解決するもので、操作部材の誤作動を防止して可動片の適正な開閉作動を保証する入賞球受口器を提供することを目的とする。
【課題を解決するための手段】
【０００５】
上記目的を達成するために、本発明では、略中間部を軸支されて傾動するように筐体（２）内に配設された操作部材（３）と、操作部材（３）の一端部（３４）が当接し、当該一端部（３４）の上昇移動に伴って傾倒させられるとともに一端部（３４）の下降移動に伴って起立させられる可動片（４Ａ，４Ｂ）と、操作部材（３）の一端部（３４）側に設けられ、可動片（４Ａ，４Ｂ）を通過した第１の入賞球（Ｂａ1）が流通する通路（Ｓ）内に進出して一端部（３４）よりも下流側の通路内で上記第１の入賞球（Ｂａ1）が当接する当接部材（３９）とを具備し、操作部材（３）は第２の入賞球（Ｂａ2）がその他端部（３３）に当接した時の荷重によって一端部（３４）が上昇移動させられるとともに、第１の入賞球（Ｂａ1）が当接部材（３９）に当接した時の荷重によって一端部（３４）が下降移動させられるものである遊技機の入賞球受口器において、下降移動時に通路（Ｓ）内に突出する操作部材（３）の一端部（３４）に、可動片（４Ａ，４Ｂ）を通過した第１の入賞球（Ｂａ1）を下流側へ通過させるための切欠き部（３５）を形成するとともに、操作部材（３）の上方位置に、操作部材（３）の上面を第１の入賞球又は第２の入賞球（Ｂａ1，Ｂａ2）が流通するのを阻止する規制部材（２７）を設ける。なお、上記規制部材（２７）は例えば、筐体（２）の内壁から延出して操作部材（３）の上方に至り、その先端が、水平状態の操作部材（３）の一端部（３４）上面に対して入賞球（Ｂａ1，Ｂａ2）の外径よりも十分小さい間隔で対向する構造とできる。
【０００６】
本発明において、複数の第１の入賞球が傾倒した可動片に連続して入球して、最初の第１の入賞球が当接部材に当接すると操作部材の一端部が下降移動させられて、可動片が起立させられる。ところが、下降した上記操作部材の一端部に、続く第１の入賞球が載ってその他端部方向へ転動すると、その荷重（重量）によって操作部材の他端部が下降し一端部が上昇させられるため可動片が傾倒させられてしまう。ここにおいて、本発明では、規制部材によって上記続く第１の入賞球が操作部材の上面を一端部から他端部へ流通するのが阻止され、かつ操作部材の一端部にはこれら第１の入賞球を下流側へ通過させる切欠き部が形成されているから、上記続く第１の入賞球は当該切欠き部から下方へ通過させられて当接部材に当接し、操作部材をその一端部が下降した水平状態に維持して落下排出される。これにより、複数の第１の入賞球が連続して可動片に進入しても、操作部材の水平状態は確実に維持されて、可動片が開放されることはない。一方、操作部材の他端部上に当接した第２の入賞球が操作部材の一端部方向へ跳ねる（流下する）ことがあっても、上記規制部材によって一端部方向への移動は阻止されるから、操作部材の一端部が上昇した傾斜状態が維持され、可動片が閉じることなくその開放状態が維持される。
【０００７】
なお、上記カッコ内の符号は、後述する実施形態に記載の具体的手段との対応関係を示すものである。
【発明の効果】
【０００８】
以上のように、本発明に係る遊技機の入賞球受口器によれば、操作部材の誤作動を防止して可動片の適正な開閉作動を保証することができる。
【発明を実施するための最良の形態】
【０００９】
図１は入賞球受口器の正面図、図２はカバー部の前壁を透視した状態の入賞球受口器の正面図、図３は入賞球受口器の断面図である。入賞球受口器１の筐体２は、詳細を後述する操作部材３を収納した容器部２１と、その前面に装着されたカバー部２２とから構成されている。容器部２１の前壁２１１には上下位置に開口２１２，２１３（図３）が形成されており、前壁２１１の外周部は外方へ突出する取付用のフランジとなっている。カバー部２２は容器部２１の前壁２１１に接する底壁２２１と、底壁２２１から立ち上がる前壁２２２を備えた断面略Ｌ字状のもので、前壁２２２は上記前壁２１１よりも狭幅で、前壁２１１に対して一定間隔を保って略平行に上方へ延びている。前壁２２２の裏面には上下方向の中間の左右位置に、前壁２１１に向けて突出する一対の軸体４１（図２）が設けられて、これら各軸体４１にそれぞれ翼状の可動片４Ａ，４Ｂの基端部が貫通孔を嵌装させて回動可能に装着されている。前後の前壁２１１，２２２の間に位置させられた各可動片４Ａ，４Ｂは、図２に示すように、対向する内側面が平面状に成形され、外側面は膨出する曲面状に成形されている。図１〜図３は可動片４Ａ，４Ｂが閉鎖した（閉じた）状態のもので、左右の可動片４Ａ，４Ｂは内側面を略平行に対向させて起立姿勢となっている。
【００１０】
前後の上記前壁２１１，２２２間の空間Ｓの上部は上方へ開放する入賞口１１となっている。入賞口１１の直下にはカバー部２２の前壁２２２裏面に、ガイド突起２４が突出形成されている。ガイド突起２４は上記空間Ｓの幅方向中央に位置して入賞口１１から進入した入賞球Ｂａ3（第２の入賞球）を受けるとともに、後方（図３の右方）へ向けて下り傾斜したその上面によって上記入賞球Ｂａ3を容器部前壁２１１の開口２１２へ案内する。開口２１２内へ進入した入賞球Ｂａ3は、後方へ向けて下り傾斜する開口下縁部２５の上面を経てさらに後方の容器部２１内へ案内され、操作部材３の後端部（他端部）３３上へ落下させられる。このような入賞球Ｂａ3以外に、操作部材３の後端部３３には、他の入賞口に入賞した入賞球（第２の入賞球）Ｂａ2が図略の流通路を経て直上方向から落下する。
【００１１】
操作部材３は長方形状の板体で、その中間位置で幅方向へ貫設された軸部材３１が容器部２１の側壁間に回動可能に支持されて、天秤式に傾動可能である。操作部材３の一方の側縁にはこれに沿って長手方向へ一定高さのガイド壁３２が形成されて、上記開口２１２を経て操作部材３の上面に落下させられた入賞球を後端部３３方向へ確実に案内するようにしてある。操作部材３はその一端部（前端部）３４が下降した図３に示す水平状態では、全体が後方へやや下り傾斜している。操作部材３の他端部（後端部）３３には段付きに低くなりかつ側方へ傾斜した凹所３３１が形成されており、操作部材３上に落下させられた入賞球Ｂａ2，Ｂａ3が上記傾斜にしたがって操作部材３上から落下排出されるようになっている。
【００１２】
水平状態の操作部材３の前端部３４は開口２１３から突出して左右の可動片４Ａ，４Ｂの基端部間に割り込むように位置し（図２）、これら可動片４Ａ，４Ｂを起立閉鎖させている。この状態で上記前端部３４は、左右の可動片４Ａ，４Ｂが開いた際に入賞球（第１の入賞球）Ｂａ1が流下する通路となる前壁２１１，２２２間の上記空間Ｓ内に突出しているが（図３）、当該前端部３４には、空間（通路）Ｓ内を流下する上記入賞球Ｂａ1を下方へ支障無く通過させるように切欠き部３５が形成されている。また、操作部材３の前半部内には重錘３７が埋設されて水平状態を確実に維持するようになっている。操作部材３の後端部３３には下方へ露出させて幅方向へ延びる磁石体３８が嵌着されている。さらに操作部材３の前半部下面からは下方へ当接部材としての当接部３９が突出させてある。当接部３９は下端が前方へ水平に屈曲し、下端水平部３９１は前端に向けて漸次狭幅になって入賞球通路Ｓ内に突出している。操作部材３の後端部下方には、容器部２１の側壁間に上記磁石体３８が吸着可能な金属製棒体２６が架設されている。
【００１３】
ここで、操作部材３の前端部３４の上方に位置する、容器部前壁２１１の開口２１２の下縁部２５は、前端部の幅方向中央部が下方へ一定長で延出して（図２）規制部材２７となっている。規制部材２７は、操作部材前端部３４の移動軌跡を避けるようにその下端部が前方（図３の左方）へ向けてやや傾斜するとともに、水平状態の操作部材３の前端部３４上面と所定の間隔で対向し、この対向間隔は、入賞球Ｂａ1，Ｂａ2の外径よりも十分小さくなっている。
【００１４】
このような構造の入賞球受口器１において、入賞口１１に入賞球が入ると、入賞球はガイド突起２４と開口下縁部２５に案内されて操作部材３上に落下し、ガイド壁３２によって操作部材３の後端部３３へ案内される。操作部材３の後端部３３に入賞球Ｂａ2，Ｂａ3の荷重（重量）が加わると、操作部材３は前端部３４が上昇移動させらるように傾動し、図６に示すように、その前端部３４が規制部材２７の下端部背面に近接した、大きく傾斜した状態となる。この時、下降した操作部材３の後端部３３の磁石体３８が金属製棒体２６に吸着されて操作部材３は傾斜状態に保持される。操作部材３が傾斜状態になるとその前端部３４が左右の可動片４Ａ，４Ｂの基端部間から脱するため、各可動片４Ａ，４Ｂは起立状態から、図４、図５に示すように、自重によって互いに離間する方向へ傾倒して開放される。ここで、図４〜図６は、左右の可動片４Ａ，４Ｂが傾倒開放した（開いた）状態を示す、それぞれ入賞球受口器の正面図、カバー部を透視した状態の正面図、および断面図である。
【００１５】
可動片４Ａ，４Ｂが開いた状態で入賞球Ｂａ1が可動片４Ａ，４Ｂに受けられると、入賞球Ｂａ1は左右の可動片４Ａ，４Ｂの基端部を押し拡げつつ落下して当接部３９の下端水平部３９１上に載り、これに当接する。当接部３９に入賞球Ｂａ1の荷重（重量）が加わると、操作部材３は磁石体３８の吸引力に抗して、その前端部３４が下降移動するように傾動し、図２、図３に示すような水平状態となる。これに伴い左右の可動片４Ａ，４Ｂは閉じられる。下端水平部３９１上に載った入賞球Ｂａ1は操作部材３が水平状態になる間に下端水平部３９１上から落下排出される。
【００１６】
ところで、可動片４Ａ，４Ｂが開いた状態で複数の入賞球Ｂａ1が連続して可動片４Ａ，４Ｂに入賞すると、最初の入賞球Ｂａ1によって上述のように操作部材３は前端部３４が下降移動させられ、水平状態に向けて傾動する。そこで仮に、続く入賞球Ｂａ1が、水平状態となった操作部材３の上面に載ってその後端部３３方向へ転動すると、その重量によって操作部材３が再び傾斜状態に戻って可動片４Ａ，４Ｂが開放されてしまう。ここにおいて、本実施形態では上記続く入賞球Ｂａ1が図３の矢印で示すように操作部材３上へ向かっても、入賞球Ｂａ1の外径よりも小さい間隔で操作部材３の前端部３４上面と対向している規制部材２７によって操作部材３の前端部３４上への進入と後端部３４への流通が確実に阻止される。加えて、操作部材３の前端部３４には入賞球Ｂａ1を下方へ支障無く通過させるような切欠き部３５が形成されているから、上記続く入賞球Ｂａ1は当該切欠き部３５から下方へ通過させられて当接部３９の下端水平部３９１に当接し、操作部材３をその前端部３４が下降した水平状態に維持して、落下排出される。このようにして、可動片４Ａ，４Ｂが開いた状態で複数の入賞球Ｂａ1が連続して可動片４Ａ，４Ｂに入賞しても、操作部材３の水平状態は確実に維持されて、可動片４Ａ，４Ｂが再び開放されることはない。
【００１７】
一方、操作部材３の後端部３３上に落下した入賞球Ｂａ2，Ｂａ3が操作部材３の前端部３４方向へ跳ねる（流下する）ことがあっても、上記規制部材２７の存在によって前端部３４方向への移動は阻止され、操作部材３の前端部３４が上昇した傾斜状態が維持されて、可動片４Ａ，４Ｂは傾倒開放状態に確実に維持される。なお、本発明を使用することで、可動片４Ａ，４Ｂが閉鎖した（起立）状態において球が入賞した（可動片４Ａ，４Ｂ間を球が通過した）としても、可動片４Ａ，４Ｂが開放しないタイプの入賞球受口器を構成することができる。
【００１８】
また、上記実施形態において、規制部材２７は必ずしも開口下縁部２５の前端部に設ける必要はなく、容器部２１内の前後方向（奥行き方向）の適宜位置に設けて操作部材３の上方に位置するものとすれば良い。さらに、例えば容器部前壁２１１を、開口２１３の左右方向中央部で操作部材２７の切欠き部３５内を上下方向へ延びるように残して、この部分を規制部材とすることもできる。また、規制部材２７は必ずしも容器部前壁２１１に形成する必要はなく、容器部２１やカバー部２２の内壁、例えばカバー部２２のガイド突起２４の下部等に設けても良い。さらに、操作部材３上の流通が第１の入賞球ない第２の入賞球のいずれかでのみ問題となる場合には、規制部材２７は第１の入賞球ないし第２の入賞球のいずれか一方のみの流通を阻止するものとすることができる。
【図面の簡単な説明】
【００１９】
【図１】本発明の一実施形態を示す、可動片が閉じた状態での入賞球受口器の正面図である。
【図２】可動片が閉じた状態でのカバー部を透視した入賞球受口器の正面図である。
【図３】可動片が閉じた状態での入賞球受口器の断面図である。
【図４】可動片が開いた状態での入賞球受口器の正面図である。
【図５】可動片が開いた状態でのカバー部を透視した入賞球受口器の正面図である。
【図６】可動片が開いた状態での入賞球受口器の断面図である。
【符号の説明】
【００２０】
２…筐体、２４…ガイド突起、２５…ガイド部、２７…規制部材、３…操作部材、３３…後端部（他端部）、３４…前端部（一端部）、３５…切欠き部、３６…ストッパ部、３９…当接部（当接部材）、４Ａ，４Ｂ…可動片、Ｂａ1…第１の入賞球、Ｂａ2，Ｂａ3…第２の入賞球、Ｓ…通路。
【図１】
2007236511.tif 000003
【図２】
2007236511.tif 000004
【図３】
2007236511.tif 000005
【図４】
2007236511.tif 000006
【図５】
2007236511.tif 000007
【図６】
2007236511.tif 000008